(57)【要約】      （修正有）【課題】便利に移動して灌漑し、素早く加熱及びエネルギーを節約できる移動式お湯灌漑機の構造を提供する。【解決手段】主に台車及び加熱システム及びガスボンベを含む。該台車は複数の車輪を具有し、該加熱システムは台車に結合する一つの固定台及び固定台に結合する複数の加熱装置を含み、各加熱装置は水を給水して加熱をすることができる給水口と、加熱したお湯を排出することができる出湯口及びガスを入れ、燃焼加熱する際のエネルギーとなるガス入口を具有する。該一つ目の加熱装置の給水口は入水チューブを用いて外部の水源と接続し、最後の加熱装置の出湯口は出湯チューブを用いて外部と接続し、それらの間では、前の加熱装置の出湯口に一つの接続チューブを差しこみ、後ろの相隣する加熱装置の給水口と接続することで連結状態を形成し、給水チューブから給水した水が次第に加熱されて高温になってから、出湯チューブから排出する。【選択図】図２
0003179717.tif 000002
【実用新案登録請求の範囲】
【請求項１】
台車及び加熱システム、ガスボンベを含み、
該台車は複数の車輪を具有し、前後に移動、或いはカーブを曲がることができるようにし、
該加熱システムは一つの固定台及び複数の加熱装置を含み、該固定台を該台車に結合し、複数の加熱装置を該固定台に結合し、各加熱装置に給水口、出湯口及びガス入口を具有し、
該給水口から水を給水して加熱をすることができ、該出湯口は加熱したお湯を排出することができ、前記ガス入口からガスを入れ、燃焼加熱する際のエネルギーとし、
前記複数の加熱装置のうち、一つ目の加熱装置の給水口は入水チューブを用いて外部の水源と接続し、連続する最後の加熱装置の出湯口は出湯チューブを用いて外部と接続し、それらの間では、前の加熱装置の出湯口に一つの接続チューブを差しこみ、後ろの隣接する加熱装置の給水口と接続することで連結状態を形成し、給水チューブから給水した水が次第に加熱されて高温になってから、出湯チューブから排出し、
該ガスボンベを該台車の上に設置し、且つ複数の加熱装置のガス入口と接続してガスを提供することを特徴とする移動式お湯灌漑機の構造。
【請求項２】
更に灌漑機を含み、該灌漑機を該出湯チューブと接続することで、加熱システムを通って加熱した高温のお湯を必要な場所で排出し、該灌漑機に一つのスイッチバルブを具有し、お湯を排出するか否かをコントロールすることを特徴とする請求項１記載の移動式お湯灌漑機の構造。
【請求項３】
前記加熱システムはガス分岐チューブを含み、該ガス分岐チューブは固定台に設置し、且つそれぞれ該複数の加熱装置のガス入り口と接続し、及び該ガスチューブは該ガスボンベと接続することを特徴とする請求項１或いは請求項２記載の移動式お湯灌漑機の構造。
【請求項４】
前記台車に少なくとも一つのハンドルを具有し、該ハンドルにより押す或いは引っ張る際に力を入れやすいことを特徴とする請求項３記載の移動式お湯灌漑機の構造。
【請求項５】
該各加熱装置は一つのウォーターボックスを含み、加熱チューブは該ウォーターボックスの上を巻き、且つ両端はそれぞれ該給水口及び該出湯口を具有し、該加熱チューブはバーナー、種火ノズル、ガス電磁弁と流水スイッチ及び点火装置を含み、
該給水口の水が流水スイッチに入るとき、水流の圧力で該流水スイッチと該ガス電磁弁を押すことで、ガス入口から入るガスが種火ノズルの中に入ると同時に、点火装置が種火ノズルのガスを点火し、そして該ガス入り口のガスが該バーナーに入るのをコントロールすることで、種火が該バーナーのガスを引火し、大量のメインバーナーを点火して該ウォーターボックスを加熱するため、該出湯口から加熱後のお湯を排出することができることを特徴とする請求項３記載の移動式お湯灌漑機の構造。
【請求項６】
前記加熱システムにある加熱装置の数は三つがベストであることを特徴とする請求項５記載の移動式お湯灌漑機の構造。
【請求項７】
前記加熱装置はガス湯沸し器とすることを特徴とする請求項５記載の移動式お湯灌漑機の構造。
【請求項８】
前記加熱システムはケース及びドアを含み、該ケースを該固定台に設置し、複数の加熱装置をその中に設置することができ、且つ前向きに一つの出口を形成し、該ドアは可動式に該固定台に結合し、ケースの出口を塞ぐ或いは開くことができることを特徴とする請求項５記載の移動式お湯灌漑機の構造。
【請求項９】
該ドアに複数のモニター穴を具有し、該複数のモニター穴はそれぞれ複数の加熱装置のメインバーナーの位置の真正面にあることを特徴とする請求項８記載の移動式お湯灌漑機の構造。
【請求項１０】
該ケースは複数の排気穴、給水穴、出湯穴及びガス穴を具有し、該複数の排気穴は該ケースの頂上面に設け、且つそれぞれの穴は該複数の加熱装置の真正面に位置することで、それぞれ該加熱装置で生じる熱気を排出し、
該給水穴は該ケースの片側面に位置し、該給水チューブを通すことができ、該出湯穴は該ケースの別側面に位置し、該出湯チューブを通し、該ガス穴は一つの側面に位置し、ガスチューブを通すことができることを特徴とする請求項８記載の移動式お湯灌漑機の構造。
【考案の詳細な説明】
【技術分野】
【０００１】
本考案は水を加熱してから空中栽培の媒質及び土壌の中に灌漑することで、土壌の中にある害虫や病原菌の量を少なくできるほか、蓄積した過量な塩分を洗い流す土壌の浄化装置の技術分野にも属し、特に便利に移動して灌漑、素早く水を加熱してエネルギー節約できる効果を持つ移動式お湯灌漑機の構造に関する。
【背景技術】
【０００２】
早期の野菜栽培或いは無加温網室栽培方法は、常に限られた栽培エリアの中で、同種類或いは類似の野菜作物を連作栽培するために、大量の化学肥料及び農薬を使って土壌の性質を変えていた。このような方法では空中栽培の媒質及び土壌が短期間で同類或いは類似の野菜作物を連作栽培できるが、一定の期間が経つと、該栽培エリアの土壌に蓄積した塩分が、植物の根の発育及び栄養吸収を抑制するため、作物の正常な生長にも影響を及ぼす。特に土壌及び栽培媒質の中に存在する植物病原菌、つまり土壌伝播性ウィルスの多くは、植物を殺す病原菌であり、通常、植物が病気に罹ると、農薬をまいても効果はあまり期待できない。上述の問題を改善するため、近年政府は農業の永続発展に力を入れており、病原菌や害虫退治では、安全且つ有効的な非農薬方法の研究開発を奨励している。その願いとは次第に化学農薬への依頼度を下げて消費者の健康を保障し、生態のバランス及び農業の永続経営をしていくためである。
【０００３】
農薬が環境に対する汚染を少なくし、全て環境保護の条件に見合う方法として現在頻繁に使用されているのは主に、化学農薬をまく代わりに、高温の蒸気を使って土壌にある多くの有害な病原菌及び害虫を取り除く方法である。例えば台湾特許申請案第Ｍ３７８０４６号では、主に使用済みの土壌を土壌浄化装置の中に運び、土壌浄化装置を使って、土壌を高温蒸気で消毒殺菌を行うことで、その中にある病原菌及び害虫を殺してから、栽培エリア或いは栽培ボックスに戻し、引き続き栽培を行う。そうすることで土壌は同じエリアで繰り返し使用および連作することができ、土地の利用価値を高めると同時に、土壌を化学薬剤の汚染から守ることができる。
【０００４】
しかし、このような従来技術の土壌浄化方法では、前記の化学薬剤の汚染問題を解決することはできるが、土壌を栽培エリアから土壌浄化装置まで運ぶには多くの人力と時間を費やすことになり、コストも相対的に非常に高くなる。特に水を蒸気状にまで加熱するには、多くのエネルギーと時間が必要である。よって、栽培面積が大変広い栽培地或いは無加温網室栽培エリアでは、非常に高い経営コストがかかることになり、多いに農民たちの潜在的な利益率を下げてしまうほか、投資のコストとリスクを増やすことにもなるなどを鑑みて、更なる改善が必要であった。
【先行技術文献】
【特許文献】
【０００５】
【特許文献１】特開２０１０−５９９４８号公報
【考案の概要】
【考案が解決しようとする課題】
【０００６】
前記公知構造の欠点を解決するために、本考案は水を素早く加熱した後、土壌に灌漑すると、土壌及び栽培媒質にある害虫及び病原菌を殺すことができ、且つ有効的に過量の肥料塩分を洗い流すことができる。また、便利に移動して灌漑し、素早く水を加熱及びエネルギー節約できるなどの効果を持つ移動式お湯灌漑機を提供することを主な課題とする。
【課題を解決するための手段】
【０００７】
上述の目的を解決するために、本考案は移動式お湯灌漑機の構造を提供するものであり、それに含まれるのは台車、加熱システム、ガスボンベである。該台車は複数の車輪を具有し、前後に移動、或いはカーブを曲がることができる。該加熱システムは一つの固定台及び複数の加熱装置を含み、該固定台を該台車に結合し、複数の加熱装置を該固定台に結合する。各加熱装置に給水口、出湯口及びガス入口を具有する。該給水口から水を給水して加熱をすることができ、該出湯口は加熱したお湯を排出することができる。該ガス入口からガスを入れ、燃焼加熱する際のエネルギーとなる。該一つ目の加熱装置の給水口は入水チューブを用いて外部の水源と接続し、最後の加熱装置の出湯口は出湯チューブを用いて外部と接続する。それらの間では、前の加熱装置の出湯口に一つの接続チューブを差しこみ、後ろの相隣する加熱装置の給水口と接続することで、連結状態を形成し、給水チューブから給水した水が次第に加熱されて高温になってから、出湯チューブから排出する。該ガスボンベを該台車の上に設置し、且つ複数の加熱装置のガス入口と接続してガスを提供する。
【０００８】
このように、本考案の移動式お湯灌漑機は、該台車により便利に如何なる位置にも移動することができ、また、該台車に設置する加熱システムを利用して、水を素早く高温にまで加熱し、如何なる土壌にも灌漑して土壌にある病原菌及び害虫を殺すことができると同時に、お湯で余分な塩分を洗い流すことができ、塩分の蓄積により連作障害を回避することができる。また、該台車に設置するガスボンベにより、すぐ近くで該加熱システムを用いて水を加熱するエネルギーを提供するため、土壌を浄化する際には、僅かな人力と時間で実現できるため、大幅にコストを下げることになる。特に互いに連結状態にある複数個の加熱装置の加熱システムを使って、水の温度を素早く土壌にある病原菌及び害虫を殺せるほどの高温に加熱する。しかもこのように次第に水温を高め及び、水を蒸気状態にまで加熱しなくとも、土壌にある病原菌及び害虫を殺せる方法は、比較的ガスなどのエネルギーを節約することになる。
【考案の効果】
【０００９】
本考案は台車に加熱システム及びガスボンベを積み、加熱エネルギーとしてガスを使用し、水を蒸気にまで加熱しなくても、土壌にある病原菌や害虫を殺せる温度にまで加熱することにより、エネルギー節約となる。また、台車に積載してあるため、浄化したい土壌の場所にまで移動することができるため、余分な人力と時間を使わなくても良い。お湯を使用するため、化学肥料及び農薬の使用により蓄積した塩分を洗い流すことで、連作障害を回避することができる。
【図面の簡単な説明】
【００１０】
【図１】本考案の立体略図である。
【図２】本考案の平面略図である。
【図３】本考案の加熱システムの内部構造の略図である。
【図４】本考案の第二実施例の加熱システムの内部構造の略図である。
【図５】本考案の第二実施例の加熱システムの立体外観略図である。
【考案を実施するための形態】
【００１１】
図１及び図２に示すのは、本考案の移動式お湯灌漑機であり、それに含まれるのは台車１、加熱システム２、ガスボンベ３及び灌漑機４である。
【００１２】
該台車１は複数の車輪１０及び二つのハンドル１１を具有する。該複数の車輪１０により台車１が前後に移動、或いはカーブを曲がることができ、行きたい場所にいける。該二つのハンドル１１を台車１の相対する両サイドに設置し、ユーザーが力を入れて台車を押す或いは引っ張る際に便利である。
【００１３】
該加熱システム２は一つの固定台２０、三つの加熱装置２１及び一つのガス分岐チューブ２２を含む。該固定台２０を該台車１に結合し、複数の加熱装置２１を該固定台２０に結合し、該ガス分岐チューブ２２は該固定台２０に設ける。各加熱装置２１に給水口２３、出湯口２４及びガス入口２５を具有する。該給水口２３は水を該加熱装置２１の中に給水して加熱をすることができる。該出湯口２４は該加熱装置２１で加熱したお湯を排出することができる。該ガス入口２５はガスを該加熱装置２１の中に入れ、燃焼する際のエネルギーとなる。該一つ目(右側)の加熱装置２１の給水口２３は入水チューブ２３０を用いて外部の水源と接続し、最後の(左側)の加熱装置２１の出湯口２４は出湯チューブ２４０を用いて外部と接続し、該右側の加熱装置２１の出湯口２４は一つの接続チューブ２６を使って中央の加熱装置２１の給水口２３と接続する。該中間加熱装置２１の出湯口２４は、別の接続チューブ２６を使って、左側の加熱装置２１の給水口２３と接続することで、三つの加熱装置２１を連結状態に形成する。該ガス分岐チューブ２２は相通じる一つの入口及び三つの出口を具有し、該入口に一つのガスチューブ２２０を接続し、該三つの出口はそれぞれチューブを使って、該三つの加熱装置２１のガス入り口２５と接続する。
【００１４】
該ガスボンベ３を該台車１の上に設置し、且つガスチューブ２２０の別端と接続することで、該三つの加熱装置２１にガスを提供する。
【００１５】
該灌漑機４を該出湯チューブ２４０の別端と接続することで、加熱システム２を通って加熱した高温のお湯を必要な場所で排出する。該灌漑機４０に一つのスイッチバルブ４０を具有し、お湯の排出及びお湯の量をコントロールする。
【００１６】
図３に示すように、各加熱装置２１は一つのウォーターボックス２１０を含み、加熱チューブ２１１は該ウォーターボックス２１０の上を巻き、且つ両端はそれぞれ該給水口２３及び該出湯口２４を具有する。該加熱チューブ２１１はバーナー２１２、種火ノズル２１３、ガス電磁弁２１４と流水スイッチ２１５及び点火装置２１６を含む。
【００１７】
給水口２３の水が流水スイッチ２１５に入るとき、水流の圧力で該流水スイッチ２１５と該ガス電磁弁２１４を押すことで、ガス入口２５から入るガスが種火ノズル２１３の中に入ると同時に、点火装置２１６が種火ノズル２１３のガスを点火する。そして該ガス入り口２５のガスが該バーナー２１２に入るのをコントロールすることで、種火が該バーナー２１２のガスを引火して、大量のメインバーナーを点火して該ウォーターボックス２１０を加熱するため、該出湯口２４から加熱後のお湯を排出することができる。
【００１８】
本考案では、該加熱システム２の加熱装置２１の数は三つがベストであるが、二つあるいは四つあるいは更に多く設置することもできるが、これ以上ここで言及しない。また、本考案では該加熱装置２１は直接一般のガス湯沸し器とすることができる。
【００１９】
図４及び図５に示すのは本考案の第二実施例である。当該構造は第一実施例とほぼ同じであるが、異なる部分は、本実施例の加熱システム２は一つのケース２７及びドア２８を含む。該ケース２７を該固定台２０に設置し、複数の加熱装置２１をその中に設置することができ、且つ前向きに一つの出口を形成する。該ドア２８は可動式に該固定台２０に結合し、ケース２７の出口を塞ぐ或いは開くことができる。該ケース２７は三つの排気穴２７０、給水穴２７１、出湯穴２７２及びガス穴２７３を具有する。該三つの排気穴２７１は該ケース２７の頂上面に設け、且つそれぞれが該三つの加熱装置２１の真正面に位置することで、それぞれ該加熱装置２１で生じる熱気を排出する。該給水穴２７１は該ケース２７の右側面に位置し、該給水チューブ２３１を通すことができる。該出湯穴２７１は該ケース２７の左側面に位置し、該出湯チューブ２４０を通す。該ガス穴２７２は該ケース２７の右側面に位置し、ガスチューブ２２０を通すことができる。該ドア２８に三つの加熱装置２１のメインバーナーの真正面の位置にそれぞれ三つのモニター穴２８０を具有し、メインバーナーの観測をすることができる。
【００２０】
本考案は加熱システム２及び該ガスボンベ４を該台車１に積載しているため、該台車１が如何なる場所にも移動できること、また、該台車１に設置する加熱システム２が水を素早く高温にまで加熱することを利用し、如何なる場所にある土壌を灌漑し、土壌にある病原菌及び害虫を殺すことができる。及び、台車１に設置するガスボンベ３を使って、水を加熱するエネルギーとすることができる。よって、土壌を浄化する際に、少ない人力及び時間で完成することができるため、大幅にコストを下げて、仕事率を上げることになる。特に該加熱システム２にある複数個の加熱装置２１を利用して、水を次第に加熱して温度を上昇することで、水の温度を素早く土壌にある病原菌及び害虫を殺せるぐらいの高温に加熱することができる。また、このように徐々に温度を高めて、及び水を蒸気にまで加熱する必要がなくとも、土壌にある病原菌及び害虫を殺せる方法は、比較的ガスのエネルギーを節約することができ、また、土壌を洗う及び栽培媒質にある塩分を洗い流す効果は蒸気より効果がある。
【００２１】
以上の実施例による本考案の詳細な説明は本考案の範囲を制限するものではない。本技術に熟知する者が、本考案の範囲内にて行う変更や調整を行っても、本考案の重要な意義は失われず、本考案の範囲に含まれる。
【符号の説明】
【００２２】
１  台車
１０  車輪
１１  ハンドル
２  加熱システム
２０  固定台
２１  加熱装置
２１０  ウォーターボックス
２１１  加熱ルート
２１２  バーナー
２１３  種火ノズル
２１４  ガス電磁弁  
２１５  流水スイッチ
２１６  点火装置
２２  ガス分岐チューブ
２２０  ガスチューブ
２３  給水口
２３１  給水チューブ
２４  出湯口
２４０  出湯チューブ
２５  ガス入口
２６  接続チューブ
２７  ケース
２７０  排気穴
２７１  給水穴
２７２  出湯穴
２７３  ガス穴
２８  ドア
２８０  火のモニター穴
３  ガスボンベ
４  灌漑機
４０  スイッチバルブ
【図１】
0003179717.tif 000003
【図２】
0003179717.tif 000004
【図３】
0003179717.tif 000005
【図４】
0003179717.tif 000006
【図５】
0003179717.tif 000007